(57)【要約】      （修正有）【課題】組み立て後に分解した場合であっても本来の性能を適正に維持可能な光コネクタを提供すること。【解決手段】光コネクタ１は、光電変換素子を有し、回路基板２に接続されることになる光電変換モジュール１０と、光電変換素子に対応したレンズ構造を有するレンズ体２０と、レンズ体２０を収容するハウジング３０と、ハウジング３０及びレンズ体２０を光電変換モジュール１０との間に挟んで光電変換モジュール１０に組み付けられるとともに、回路基板２に接続されることになる、ノイズ低減用のシールド部材４０と、を備える。シールド部材４０は、弾性変形可能な片持ち梁状の係止アーム４４を有し、係止アーム４４を用いて光電変換モジュール１０に組み付けられる。【選択図】図３
2020118862.tif 000002
【特許請求の範囲】
【請求項１】
光電変換素子を有し、回路基板に接続されることになる光電変換モジュールと、
前記光電変換素子に対応したレンズ構造を有するレンズ体と、
前記レンズ体を収容するハウジングと、
前記ハウジング及び前記レンズ体を前記光電変換モジュールとの間に挟んで前記光電変換モジュールに組み付けられるとともに、前記回路基板に接続されることになる、ノイズ低減用のシールド部材と、
を備える、光コネクタであって、
前記シールド部材は、
弾性変形可能な片持ち梁状の係止アームを有し、前記係止アームを用いて前記光電変換モジュールに組み付けられる、
光コネクタ。
【請求項２】
請求項１に記載の光コネクタにおいて、
前記シールド部材は、
前記光電変換モジュールに組み付けられた状態にて前記ハウジングを前記光電変換モジュールに向けて弾性的に押圧する押圧片を有する、
光コネクタ。
【請求項３】
請求項２に記載の光コネクタにおいて、
前記押圧片は、
前記シールド部材と前記ハウジングとの間に隙間を画成し、
前記係止アームは、
前記光電変換モジュールに係止される係止部と、前記係止部に連結し且つ前記シールド部材の組付方向に対して傾斜した傾斜連結部と、を有し、
前記レンズ体は、
当該レンズ体が熱膨張したとき、前記傾斜連結部に接触しながら前記傾斜連結部に沿って摺動することにより、前記組付方向における前記隙間に近付く向きに案内される、ように構成される、
光コネクタ。
【請求項４】
請求項１〜請求項３の何れか一項に記載の光コネクタにおいて、
前記係止アームは、
前記シールド部材の側壁よりも前記シールド部材の内側に向けて延びる、
光コネクタ。
【発明の詳細な説明】
【技術分野】
【０００１】
本発明は、光コネクタに関する。
【背景技術】
【０００２】
従来から、光ファイバと電子機器等との接続や光ファイバ同士の接続を目的として、光コネクタが用いられている。光コネクタは、例えば、光電変換素子を有する光電変換モジュール（例えば、ＦＯＴ。Ｆｉｂｅｒ  Ｏｐｔｉｃａｌ  Ｔｒａｎｓｃｅｉｖｅｒ）と、光電変換モジュールを収容する樹脂製のハウジングと、ハウジングを覆うように取り付けられるノイズ低減用の金属製のシールドケースと、を備える。シールドケースは、通常、ノイズ源となる外部からの電界等を遮断するとともに、遮断時に生じたノイズ電流等をグラウンド等に放出するように構成される。
【０００３】
例えば、従来の回路基板への実装用の光コネクタの一つでは、ノイズ電流等を回路基板内のノイズ放出用回路に逃がすためのピン状の端子が、シールドケースに設けられている。このピン状の端子は、光コネクタを回路基板に実装する際、回路基板に設けたスルーホールに挿入された状態でハンダ付けされ、ノイズ放出用回路に電気的に接続されることになる（例えば、特許文献１参照）。
【先行技術文献】
【特許文献】
【０００４】
【特許文献１】特開２００６−２１５２７６号公報
【発明の概要】
【発明が解決しようとする課題】
【０００５】
上述した従来の光コネクタでは、シールドケースに設けられた係止片をハウジングに設けられた係止部に係止させる（引っ掛ける）ことで、シールドケースがハウジングに固定されるようになっている。ところで、光コネクタを組み立てる際に誤った部品の組み付けや必要な部品の組み付け忘れ等が生じると、ハウジングに固定されているシールドケースをハウジングから取り外す場合がある。この場合、係止片が係止部から離れるように、シールドケースの一部を撓ませるように変形させることになる。このときにシールドケースに及ぼされた外力の大きさによっては、シールドケースに塑性変形が生じる可能性がある。
【０００６】
シールドケースに塑性変形が生じると、例えば、シールドケースのピン状の端子と回路基板のスルーホールとの位置合わせが困難になり、回路基板への光コネクタの適正な実装が困難になる可能性がある。また、シールドケースの係止片とハウジングの係止部との係合が困難になり、ハウジングへのシールドケースの適正な固定が困難になる可能性がある。このように、光コネクタを組み立て後に分解することに起因し、光コネクタとしての本来の性能（例えば、回路基板への実装の容易さや、各部品の組付性）が損なわれる可能性がある。しかし、光コネクタの品質管理や保守性向上の観点などから、本来の性能を損なうことなく光コネクタを分解可能であることが望ましい。
【０００７】
本発明は、上述した事情に鑑みてなされたものであり、その目的は、組み立て後に分解した場合であっても本来の性能を適正に維持可能な光コネクタ、を提供することにある。
【課題を解決するための手段】
【０００８】
前述した目的を達成するために、本発明に係る光コネクタは、下記［１］〜［４］を特徴としている。
［１］
光電変換素子を有し、回路基板に接続されることになる光電変換モジュールと、
前記光電変換素子に対応したレンズ構造を有するレンズ体と、
前記レンズ体を収容するハウジングと、
前記ハウジング及び前記レンズ体を前記光電変換モジュールとの間に挟んで前記光電変換モジュールに組み付けられるとともに、前記回路基板に接続されることになる、ノイズ低減用のシールド部材と、
を備える、光コネクタであって、
前記シールド部材は、
弾性変形可能な片持ち梁状の係止アームを有し、前記係止アームを用いて前記光電変換モジュールに組み付けられる、
光コネクタであること。
［２］
上記［１］に記載の光コネクタにおいて、
前記シールド部材は、
前記光電変換モジュールに組み付けられた状態にて前記ハウジングを前記光電変換モジュールに向けて弾性的に押圧する押圧片を有する、
光コネクタであること。
［３］
上記［２］に記載の光コネクタにおいて、
前記押圧片は、
前記シールド部材と前記ハウジングとの間に隙間を画成し、
前記係止アームは、
前記光電変換モジュールに係止される係止部と、前記係止部に連結し且つ前記シールド部材の組付方向に対して傾斜した傾斜連結部と、を有し、
前記レンズ体は、
当該レンズ体が熱膨張したとき、前記傾斜連結部に接触しながら前記傾斜連結部に沿って摺動することにより、前記組付方向における前記隙間に近付く向きに案内される、ように構成される、
光コネクタであること。
［４］
上記［１］〜上記［３］の何れか一つに記載の光コネクタにおいて、
前記係止アームは、
前記シールド部材の側壁よりも前記シールド部材の内側に向けて延びる、
光コネクタであること。
【０００９】
上記［１］の構成の光コネクタは、シールド部材に設けられた片持ち梁状の係止アームを用いて、シールド部材が光電変換モジュールに組み付けられる。ここで、片持ち梁状の係止アームは、通常、柔軟性に優れ、容易に弾性変形が可能である。そのため、例えば、光コネクタの組み立て後の分解の際、作業者が容易に制御可能な程度の小さな力で、係止アームを光電変換モジュールから引き離すように変形させ得る。換言すると、過大な外力が誤って係止アームに及ぼされ難い。よって、従来の光コネクタのようにシールド部材の単なる壁面に係止片が設けられる場合に比べ、意図しない塑性変形がシールド部材（即ち、係止アーム）に生じ難い。その結果、光コネクタを分解した後に再度組み立てた場合であっても、シールド部材自体の変形が抑制され、且つ、シールド部材が適正に光電変換モジュールに組み付けられる。したがって、本構成の光コネクタは、組み立て後に分解した場合であっても本来の性能を適正に維持可能である。
【００１０】
上記［２］の構成の光コネクタによれば、押圧片により、ハウジング（及び、ハウジングに収容されたレンズ体）が光電変換モジュールに向けて押し付けられる。これにより、実際に光コネクタが使用される際、衝撃や振動などの外力が光コネクタに及んでも、レンズ体と光電変換素子との相対位置が適正に維持され得る。その結果、光コネクタを介した信号の伝送品質を向上できる。
【００１１】
上記［３］の構成の光コネクタによれば、実際に光コネクタが使用される際、周辺環境の温度や光コネクタ自体の作動熱などに起因して光コネクタを構成する部品（特に、一般に樹脂製のハウジングやレンズ体など）が熱膨張した場合、レンズ体がシールド部材の傾斜連結部に沿って摺動しながら、シールド部材とハウジングとの間の隙間に近付く向きに案内される。逆に言えば、光コネクタを構成する部品が熱膨張した場合であっても、それら部品が回路基板に近付く向きには変形し難い。よって、光コネクタに熱膨張が生じても、光コネクタと回路基板との間の接続に用いられるハンダ等に過大な外力が及び難く、ハンダ等に変形やクラック等が生じることを抑制できる。
【００１２】
上記［４］の構成の光コネクタによれば、係止アームがシールド部材の側壁の内側に存在するため、係止アームがシールド部材の側壁の外部に延びる場合に比べ、係止アームに周辺部材などが意図せず衝突する等の不具合が生じ難い。よって、そのような意図しない外力によってシールド部材と光電変換モジュールとの組み付けが解除されることや、係止アームの想定外の塑性変形を、より確実に抑制できる。
【発明の効果】
【００１３】
本発明によれば、組み立て後に分解した場合であっても本来の性能を適正に維持可能な光コネクタを提供できる。
【００１４】
以上、本発明について簡潔に説明した。更に、以下に説明される発明を実施するための最良の形態を添付の図面を参照して通読することにより、本発明の詳細は更に明確化されるであろう。
【図面の簡単な説明】
【００１５】
【図１】図１は、回路基板に実装された本発明に係る光コネクタと、光コネクタに嵌合される相手側光コネクタと、相手側光コネクタに接続される光ファイバと、を示す斜視図である。
【図２】図２は、回路基板に実装された本発明に係る光コネクタの斜視図である。
【図３】図３は、本発明に係る光コネクタの分解斜視図である。
【図４】図４は、図３に示すシールド部材の平面図である。
【図５】図５は、図２のＡ−Ａ断面図である。
【発明を実施するための形態】
【００１６】
＜実施形態＞
以下、図面を参照しながら、本発明の実施形態に係る光コネクタ１について説明する。図１及び図２に示すように、光コネクタ１は、回路基板２に実装され、且つ、相手側光コネクタ３に嵌合されて使用される。
【００１７】
図１に示すように、相手側光コネクタ３のハウジング４の内部には、一対のフェルール５が設けられる。一対のフェルール５には、一対の光ファイバ６が挿入されて固定されている。そして、光コネクタ１の一対の筒状部３７が相手側光コネクタ３のハウジング４に挿入され、光コネクタ１と相手側光コネクタ３とが図示しない係合部品または係合手段などによって相対移動不能に嵌合される。これにより、光コネクタ１と光ファイバ６とが光学的に接続され、両者の間での光通信が可能となる。
【００１８】
図３に示すように、本発明の実施形態に係る光コネクタ１は、光電変換モジュール１０と、レンズ体２０と、ハウジング３０と、シールド部材４０と、を備える。以下、説明の便宜上、図３に示すように、「前後方向」、「幅方向」、「上下方向」、「上」及び「下」を定義する。「前後方向」、「幅方向」及び「上下方向」は、互いに直交している。「上下方向」は、光コネクタ１と相手側光コネクタ３との嵌合方向と一致している。以下、図３〜図５を参照しながら、光コネクタ１を構成する各部品について順に説明する。
【００１９】
光電変換モジュール１０は、図３に示すように、略矩形平板状の樹脂成形体であり、一対の矩形状のＦＯＴ１１（Ｆｉｂｅｒ  Ｏｐｔｉｃａｌ  Ｔｒａｎｓｃｅｉｖｅｒ）が、幅方向に並ぶように一体で設けられている。一対のＦＯＴ１１それぞれの所定位置には、上方に露呈するように、光電変換素子１２（図５参照）が設けられている。
【００２０】
一対のＦＯＴ１１のうち一方のＦＯＴ１１は発光側ＦＯＴである。発光側ＦＯＴ１１の光電変換素子１２は、例えば、ＬＥＤ（Ｌｉｇｈｔ  Ｅｍｉｔｔｉｎｇ  Ｄｉｏｄｅ）、ＶＣＳＥＬ（Ｖｅｒｔｉｃａｌ  Ｃａｖｉｔｙ  Ｓｕｒｆａｃｅ  Ｅｍｉｔｔｉｎｇ  ＬＡＳＥＲ）等の発光素子である。一対のＦＯＴ１１のうち他方のＦＯＴ１１は受光側ＦＯＴである。受光側ＦＯＴ１１の光電変換素子１２は、例えば、ＰＤ（Ｐｈｏｔｏ  Ｄｉｏｄｅ）などの受光素子である。
【００２１】
光電変換モジュール１０には、インサート成形により、金属製の複数本のリードフレーム１３が一体化されている。複数本のリードフレーム１３は、一対の光電変換素子１２と接続されていると共に、光電変換モジュール１０の前後方向両端面から前後方向外側且つ下方に向けて延びている。各リードフレーム１３の前後方向先端部は、回路基板２のパッド上の対応する箇所にそれぞれハンダ付けされて、回路基板２の所定の回路に対して電気的に接続されることになる。
【００２２】
光電変換モジュール１０における幅方向両端面の前後方向中央部にはそれぞれ、幅方向外側へ突出する係止突起１４が一体で形成されている。光電変換モジュール１０における前後方向両端面の幅方向中央部にはそれぞれ、前後方向内側へ向けて窪んだ凹部１５が形成されている。係止突起１４には、シールド部材４０の係止孔４６ａ（後述）の下端縁が係止されることになる。凹部１５には、レンズ体２０の突起部２５（後述）が挿入されることになる。
【００２３】
レンズ体２０は、導光性を有する透明樹脂による一体成形体であり、図３に示すように、略矩形平板状の基板部２１と、基板部２１の上面から上方へ突出する一対の略円柱状のレンズ部２２と、を一体に有する。本例では、一対のレンズ部２２の基板部２１からの突出高さが異なっている。一対のレンズ部２２は、基板部２１上において、幅方向に並ぶように、且つ、光電変換モジュール１０の一対の光電変換素子１２に対応する位置に設けられている。一対のレンズ部２２のうち一方のレンズ部２２は発光側レンズ部であり、他方のレンズ部２２は受光側レンズ部である。
【００２４】
基板部２１における幅方向両端面の前後方向中央部にはそれぞれ、幅方向内側へ向けて窪んだ凹部２３が形成されている。凹部２３の底面（幅方向内側端面）２４は、前後方向及び上下方向に広がる平面である。基板部２１の下面における前後方向両端部の幅方向中央部にはそれぞれ、下方に突出する突起部２５が一体に形成されている。また、凹部２３の底面２４には、幅方向外側に突出する突起部２６が一体に形成されている。
【００２５】
ハウジング３０は、図３に示すように、下方に開口する矩形箱状の樹脂成形体であり、レンズ体２０を収容する機能を有する。ハウジング３０は、略矩形平板状の天板部３１と、天板部３１の前後方向両端部から垂下する一対の側板部３２と、天板部３１の幅方向両端部から垂下する一対の側板部３３と、を一体に備える。側板部３２は、ハウジング３０の幅方向全域に亘って連続して設けられている。側板部３３は、ハウジング３０の前後方向両端部近傍に設けられ、前後方向中央部には設けられていない。側板部３３の下端部には、幅方向外側に屈曲して上方に向けて延びる受け部３４が一体形成されている。側板部３３と受け部３４との間の空間には、シールド部材４０の側板部４３（後述）が挿入されることになる。
【００２６】
天板部３１における幅方向両端部の前後方向中央部（側板部３３が設けられていない部分）にはそれぞれ、幅方向内側に向けて窪んだ凹部３５が形成されている。凹部３５の底面（幅方向内側端面）３６は、前後方向に沿って延びている。
【００２７】
天板部３１には、天板部３１の上面から上方へ突出すると共に上下方向に貫通する一対の略円筒状の筒状部３７が一体で形成されている。一対の筒状部３７は、天板部３１上において、幅方向に並ぶように、且つ、レンズ体２０の一対のレンズ部２２に対応する位置に設けられている。一対の筒状部３７には、一対のレンズ部２２が挿入されることになる。
【００２８】
シールド部材４０は、図３に示すように、１枚の金属板にプレス加工等を施すことにより形成された下方に開口する箱状体であり、ノイズ低減などを目的として設けられる。シールド部材４０は、略矩形平板状の天板部４１と、天板部４１の前後方向両端部から垂下する一対の側板部４２と、天板部４１の幅方向両端部から垂下する一対の側板部４３と、を一体に備える。側板部４２は、ハウジング３０の幅方向全域に亘って連続して設けられている。側板部４３は、ハウジング３０の前後方向両端部近傍に設けられ、前後方向中央部には設けられていない。
【００２９】
天板部４１における幅方向両端部の前後方向中央部（側板部４３が設けられていない部分）からはそれぞれ、片持ち梁状の係止アーム４４が、下方且つ幅方向内側に向けて一体に延びている。係止アーム４４は、幅方向に弾性変形可能となっている。係止アーム４４は、天板部４１の幅方向両端部から下方且つ幅方向内側に傾斜して延びる平板状の傾斜連結部４５と、傾斜連結部４５の下端縁から下方に向けて延びる矩形枠状の係止部４６と、により構成されている。係止部４６には矩形状の係止孔４６ａが形成されている。このように、係止アーム４４は、側板部４３よりも幅方向内側に向けて延びている。
【００３０】
天板部４１には、上下方向に貫通する一対の略円形状の貫通孔４７が形成されている。一対の貫通孔４７は、天板部４１上において、幅方向に並ぶように、且つ、ハウジング３０の一対の筒状部３７に対応する位置に設けられている。一対の貫通孔４７には、一対の筒状部３７が挿入されることになる。
【００３１】
天板部４１の四隅部分にはそれぞれ、片持ち梁状の押圧片４８が切り起こしにより形成されている（図４も参照）。各押圧片４８は、前後方向外側且つ下方に傾斜して延びており、上下方向に弾性変形可能となっている。各押圧片４８は、ハウジング３０の天板部３１の上面と接触することになる。
【００３２】
側板部４３の前後方向両端部（即ち、側板部４２及び側板部４３が交差する部分）からはそれぞれ、ピン状の端子４９が下方に突出している（計４本）。各端子４９は、回路基板２に設けられた対応するスルーホールにそれぞれ挿入されてハンダ付けされることになる。以上、光コネクタ１を構成する各部品について説明した。
【００３３】
次いで、図３及び図５を参照しながら、光コネクタ１の組み付けについて説明する。先ず、光電変換モジュール１０の上に、レンズ体２０を積層するように載置する。その際、レンズ体２０の一対の突起部２５が光電変換モジュール１０の一対の凹部１５に挿入されることで、光電変換モジュール１０に対するレンズ体２０の位置決めがなされる。これにより、一対のレンズ部２２が、一対の光電変換素子１２の直上にそれぞれ配置される（図５参照）。
【００３４】
次いで、光電変換モジュール１０に載置されたレンズ体２０を上から覆うように、ハウジング３０をレンズ体２０に組み付ける。その際、レンズ体２０の一対のレンズ部２２がハウジング３０の一対の筒状部３７に挿入されることで、レンズ体２０に対するハウジング３０の位置決めがなされる。これにより、ハウジング３０の天板部３１の下面がレンズ体２０の基板部２１の上面に接触し、ハウジング３０の側板部３２，３３がレンズ体２０の基板部２１の側面を覆っている。
【００３５】
次いで、ハウジング３０及びレンズ体２０を光電変換モジュール１０との間に上下方向に挟むように、シールド部材４０を、ハウジング３０の上から光電変換モジュール１０に組み付ける。その際、ハウジング３０の一対の筒状部３７がシールド部材４０の一対の貫通孔４７に挿入されることで、ハウジング３０に対するシールド部材４０の位置決めがなされる。ハウジング３０の側板部３２，３３がそれぞれ、シールド部材４０の側板部４２，４３により覆われる。シールド部材４０の側板部４３が、ハウジング３０の側板部３３と受け部３４との間の空間に挿入される。
【００３６】
シールド部材４０の光電変換モジュール１０への組み付けは、一対の係止アーム４４の係止孔４６ａの下端縁を、係止アーム４４の幅方向外側への一時的な弾性変形を伴いながら光電変換モジュール１０の一対の係止突起１４を乗り越えさせて、一対の係止突起１４の下面に係止させることで達成される（図５参照）。これにより、光コネクタ１の組み付けが完了する。
【００３７】
光コネクタ１の組み付けが完了した状態では、図５に示すように、シールド部材４０の各押圧片４８が、ハウジング３０の天板部３１の上面に押圧されて、上方向に弾性変形している。この結果、各押圧片４８は、下方に向けた自身の弾性復元力により、ハウジング３０及びレンズ体２０を、下方に（即ち、光電変換モジュール１０に向けて）弾性的に押圧している。このため、押圧片４８により、ハウジング３０及びレンズ体２０が光電変換モジュール１０に向けて押し付けられた状態が維持される。
【００３８】
また、図５に示すように、シールド部材４０の天板部４１の下面とハウジング３０の天板部３１の上面との間には上下方向の隙間Ｓが存在している。この隙間Ｓの大きさは、光コネクタ１の構成部品間の熱膨張係数の相違等に起因して、雰囲気温度等の状況に応じて変動し得る。このように隙間Ｓの大きさが変動しても、押圧片４８によりハウジング３０及びレンズ体２０が光電変換モジュール１０に向けて押し付けられた状態が維持され得るように設計されている。
【００３９】
また、図５に示すように、シールド部材４０の一対の係止アーム４４の傾斜連結部４５の幅方向内側の面に、レンズ体２０の突起部２６が接触している。よって、雰囲気温度等の状況に応じて光コネクタ１を構成する部品（特に、樹脂製のハウジング３０やレンズ体２０など）が熱膨張した場合、レンズ体２０の突起部２６がシールド部材４０の傾斜連結部４５に沿って摺動しながら、シールド部材４０とハウジング３０との間の隙間に近付く向きに案内される。よって、光コネクタ１と回路基板２との間の接続に用いられるハンダ等に過大な外力が及び難く、ハンダ等に変形やクラック等が生じることを抑制できる。
【００４０】
このように組み付けが完了した光コネクタ１は、図２に示すように、回路基板２に実装される。光コネクタ１の回路基板２への実装は、光電変換モジュール１０の複数のリードフレーム１３を回路基板２のパッド上にそれぞれハンダ付けし、且つ、シールド部材４０の端子４９を回路基板２のスルーホールにハンダ付けすることで達成される。
【００４１】
回路基板２に実装された光コネクタ１に、一対の光ファイバ６が接続された相手側光コネクタ３が嵌合された状態（図１参照）では、回路基板２にて生成された電気信号が、発光側ＦＯＴ１１の光電変換素子１２により光信号に変換され、変換された光信号が、発光側レンズ部２２に入射し、相手側光コネクタ３の一方の光ファイバ６へ導かれる。また、相手側光コネクタ３の他方の光ファイバ６から受光側レンズ部２２へ入射した光信号は、受光側ＦＯＴ１１の光電変換素子１２で受光されて電気信号に変換され、変換された電気信号が、回路基板２へ伝送される。
【００４２】
以上、本発明の実施形態に係る光コネクタ１によれば、シールド部材４０に設けられた片持ち梁状の係止アーム４４を用いて、シールド部材４０が光電変換モジュール１０に組み付けられる。片持ち梁状の係止アーム４４は、柔軟性に優れ、容易に弾性変形が可能である。そのため、例えば、光コネクタ１の組み立て後の分解の際、作業者が容易に制御可能な程度の小さな力で、係止アーム４４を光電変換モジュール１０から引き離すように変形させ得る。換言すると、過大な外力が誤って係止アーム４４に及ぼされ難い。よって、従来の光コネクタのようにシールド部材４０の単なる壁面に係止片が設けられる場合に比べ、意図しない塑性変形がシールド部材４０（即ち、係止アーム４４）に生じ難い。その結果、光コネクタ１を分解した後に再度組み立てた場合であっても、シールド部材４０自体の変形が抑制され、且つ、シールド部材４０が適正に光電変換モジュール１０に組み付けられる。したがって、光コネクタ１は、組み立て後に分解した場合であっても本来の性能を適正に維持可能である。
【００４３】
更に、光コネクタ１によれば、押圧片４８により、ハウジング３０及びレンズ体２０が光電変換モジュール１０に向けて押し付けられた状態となる。これにより、光コネクタ１に振動などの外力が及んでも、レンズ体２０と光電変換素子１２との距離が変化し難くなる。その結果、光コネクタ１を信号が通過する際のノイズ等が低減され、光コネクタ１による信号の伝送性能が向上する。
【００４４】
更に、光コネクタ１によれば、周辺環境の温度や光コネクタ自体の作動熱などに起因してレンズ体２０等が熱膨張した場合、レンズ体２０がシールド部材４０の傾斜連結部４５に沿って摺動しながら、シールド部材４０とハウジング３０との間の隙間Ｓに近付く向きに案内される。逆に言えば、光コネクタ１を構成する部品が熱膨張した場合であっても、それら部品が回路基板２に近付く向きには変形し難い。よって、光コネクタ１に熱膨張が生じても、光コネクタ１と回路基板２との間の接続に用いられるハンダ等に過大な外力が及び難く、ハンダ等に変形やクラック等が生じることを抑制できる。
【００４５】
更に、光コネクタ１によれば、係止アーム４４がシールド部材４０の内側に存在するため、係止アーム４４がシールド部材４０の外部に延びる場合に比べ、係止アーム４４に意図しない外力が及んでシールド部材４０と光電変換モジュール１０との組み付けが解除される等の不具合を生じ難くすることができる。
【００４６】
＜他の態様＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４７】
例えば、上記実施形態では、シールド部材４０の押圧片４８が設けられている。これに対し、シールド部材４０に押圧片４８が設けられていなくてもよい。ただし、この場合、ハウジング３０及びレンズ体２０を光電変換モジュール１０に向けて常時押し付ける手段がなくなるので、光コネクタ１に振動などの外力が及んだ場合、レンズ体２０と光電変換素子１２との距離が変化し易くなる可能性がある。
【００４８】
ここで、上述した本発明に係る光コネクタ１の実施形態の特徴をそれぞれ以下［１］〜［４］に簡潔に纏めて列記する。
［１］
光電変換素子（１２）を有し、回路基板（２）に接続されることになる光電変換モジュール（１０）と、
前記光電変換素子（１２）に対応したレンズ構造を有するレンズ体（２０）と、
前記レンズ体（２０）を収容するハウジング（３０）と、
前記ハウジング（３０）及び前記レンズ体（２０）を前記光電変換モジュール（１０）との間に挟んで前記光電変換モジュール（１０）に組み付けられるとともに、前記回路基板（２）に接続されることになる、ノイズ低減用のシールド部材（４０）と、
を備える、光コネクタ（１）であって、
前記シールド部材（４０）は、
弾性変形可能な片持ち梁状の係止アーム（４４）を有し、前記係止アーム（４４）を用いて前記光電変換モジュール（１０）に組み付けられる、
光コネクタ（１）。
［２］
上記［１］に記載の光コネクタ（１）において、
前記シールド部材（４０）は、
前記光電変換モジュール（１０）に組み付けられた状態にて前記ハウジング（３０）及び前記レンズ体（２０）を前記光電変換モジュール（１０）に向けて弾性的に押圧する押圧片（４８）を有する、
光コネクタ（１）。
［３］
上記［２］に記載の光コネクタ（１）において、
前記押圧片（４８）は、
前記シールド部材（４０）と前記ハウジング（３０）との間に隙間を画成し、
前記係止アーム（４４）は、
前記光電変換モジュール（１０）に係止される係止部（４６）と、前記係止部（４６）に連結し且つ前記シールド部材（４０）の組付方向に対して傾斜した傾斜連結部（４５）と、を有し、
前記押圧片（４８）は、
前記シールド部材（４０）と前記ハウジング（３０）との間に隙間を画成し、
前記レンズ体（２０）は、
当該レンズ体（２０）が熱膨張したとき、前記傾斜連結部（４５）に接触しながら前記傾斜連結部（４５）に沿って摺動することにより、前記組付方向における前記隙間（Ｓ）に近付く向きに案内される、ように構成される、
光コネクタ（１）。
［４］
上記［１］〜上記［３］の何れか一つに記載の光コネクタ（１）において、
前記係止アーム（４４）は、
前記シールド部材（４０）の側壁（４３）よりも前記シールド部材（４０）の内側に向けて延びる、
光コネクタ（１）。
【符号の説明】
【００４９】
１    光コネクタ
２    回路基板
１０  光電変換モジュール
１２  光電変換素子
２０  レンズ体
３０  ハウジング
４０  シールド部材
４３  側板部（側壁）
４４  係止アーム
４５  傾斜連結部
４６  係止部
４８  押圧片
Ｓ    隙間
【図１】
2020118862.tif 000003
【図２】
2020118862.tif 000004
【図３】
2020118862.tif 000005
【図４】
2020118862.tif 000006
【図５】
2020118862.tif 000007